(57)【特許請求の範囲】
【請求項１】
空調機器の動作を制御する複数の空調制御端末と、操作者からのオン／オフ操作に応じて操作指令信号を発生する複数の操作設定端末と、複数の空調制御端末および複数の操作設定端末が第１の通信線を介してそれぞれ接続され、各端末を個別にアクセスする順番を規定した通常ポーリング配列にしたがって各端末を順番にアクセスしてデータを送受信する１乃至複数の通信処理装置と、複数の通信処理装置が第２の通信線を介して接続され、各通信処理装置に接続された空調制御端末の動作を監視、制御する上位監視装置とで構成される空調制御システムにおいて、上位監視装置から各通信処理装置を介して空調制御端末に送信される上位指令信号に、空調機器を強制的にオン／オフさせる上位オン指令、上位オフ指令と、操作設定端末からの操作指令信号に応じて動作させる操作設定端末参照指令とを設け、上位指令信号が操作設定端末参照指令の場合のみ操作設定端末からの操作指令信号を有効とし、通信処理装置は、上位監視装置からの上位指令信号や操作設定端末からの操作指令信号を読み込むと、上位指令信号や操作指令信号を対応する空調制御端末に送信するとともに、当該空調制御端末を通常ポーリング配列から除外し、上位指令信号に応じて動作中の空調制御端末をポーリングする順番を設定する上位指令処理配列又は操作指令信号に応じて動作中の空調制御端末をポーリングする順番を設定する操作指令処理配列のいずれかに登録し、通常ポーリング配列にしたがって各端末を１台アクセスする毎に、上位指令処理配列および操作指令処理配列に登録された空調制御端末を１台づつアクセスする機能を通信処理装置に設けたことを特徴とする空調制御システム。
【請求項２】
通信処理装置は上位監視装置から火災の発生を示す火災発生信号を受け取ると、上記通信処理を中断して対応する空調制御端末に火災発生を示す火災指令を送信し、空調制御端末は通信処理装置から上記火災指令を受け取ると、上位監視装置や操作設定端末からの指令信号を保留して空調機器を強制的に停止させ、通信処理装置は当該空調制御端末が対応する空調機器を停止させたのを確認すると上記通信処理を再び実行することを特徴とする請求項１記載の空調制御システム。
【請求項３】
空調機器の動作を制御する複数の空調制御端末と、操作者からのオン／オフ操作に応じて操作指令信号を発生する複数の操作設定端末と、複数の空調制御端末および複数の操作設定端末が第１の通信線を介してそれぞれ接続され、各端末を個別にアクセスする順番を規定した通常ポーリング配列にしたがって各端末を順番にアクセスしてデータを送受信する１乃至複数の通信処理装置と、複数の通信処理装置が第２の通信線を介して接続され、各通信処理装置に接続された空調制御端末の動作を監視、制御する上位監視装置とで構成される空調制御システムの通信処理方式であって、上位監視装置から各通信処理装置を介して空調制御端末に送信される上位指令信号に、空調機器を強制的にオン／オフさせる上位オン指令、上位オフ指令と、操作設定端末からの操作指令信号に応じて動作させる操作設定端末参照指令とを設け、上位指令信号が操作設定端末参照指令の場合のみ操作設定端末からの操作指令信号を有効とし、通信処理装置は、上位監視装置からの上位指令信号や操作設定端末からの操作指令信号を読み込むと、上位指令信号や操作指令信号を対応する空調制御端末に送信するとともに、当該空調制御端末を通常ポーリング配列から除外し、上位指令信号に応じて動作中の空調制御端末をポーリングする順番を設定する上位指令処理配列又は操作指令信号に応じて動作中の空調制御端末をポーリングする順番を設定する操作指令処理配列のいずれかに登録し、通信処理装置は通常ポーリング配列にしたがって各端末を１台アクセスする毎に、上位指令処理配列および操作指令処理配列に登録された空調制御端末を１台づつアクセスすることを特徴とする空調制御システムの通信処理方法。
【請求項４】
通信処理装置は上位監視装置から火災の発生を示す火災発生信号を受け取ると、上記通信処理を中断して対応する空調制御端末に火災発生を示す火災指令を送信し、空調制御端末は通信処理装置から上記火災指令を受け取ると、上位監視装置や操作設定端末からの指令信号を保留して空調機器を強制的に停止させ、通信処理装置は当該空調制御端末が対応する空調機器を停止させたのを確認すると上記通信処理を再び実行することを特徴とする請求項３記載の空調制御システムの通信処理方法。
【発明の詳細な説明】
【０００１】
【発明の属する技術分野】
本発明は、空気調和を行う複数の空調機器を制御するための空調制御システムおよびその通信処理方法に関するものである。
【０００２】
【従来の技術】
図９は従来の空調制御システムの概略構成図である。上位監視装置１には通信回線２を介して複数台の通信処理装置３ａ，３ｂ，３ｃ…が接続される。各通信処理装置３ａ，３ｂ，３ｃ…には、それぞれ、通信回線４を介して複数台の操作設定器５と空調制御装置６ａ，６ｂ…とが接続されている。各通信処理装置３ａ，３ｂ，３ｃ…は通信回線４を介して操作設定器５および空調制御装置６ａ，６ｂ…との間で所謂１：Ｎポーリング方式により通信を行い、操作設定器５および空調制御装置６ａ，６ｂ…を個別にアクセスして、監視データや制御データを授受する。操作設定器５は対応する空調機器７ａ，７ｂ…の設置場所付近に設けられ、操作者のオン／オフ操作に応じて対応する空調機器７ａ，７ｂ…をオン／オフさせる操作指令信号を発生する。また、上位監視装置１からも通信回線２を介して通信処理装置３ａ，３ｂ，３ｃ…に所望の空調機器７ａ，７ｂ…をオン／オフさせる上位指令信号を送信することができ、各通信親器３ａ，３ｂ，３ｃ…は上位監視装置１や操作設定器５から上位指令信号や操作指令信号を受信すると、通信回線４を介して対応する空調制御装置６ａ，６ｂ…に制御データを送信し、空調制御装置６ａ，６ｂ…では通信処理装置３ａ，３ｂ，３ｃ…から送信された制御データに応じて空調機器７ａ，７ｂ…をオン／オフさせている。
【０００３】
【発明が解決しようとする課題】
この空調制御システムの動作を通信処理装置３ａを例として以下に簡単に説明する。通信処理装置３ａは操作設定器５および空調制御装置６ａ，６ｂ…を予め定められた順番でポーリングしており、操作設定器５および空調制御装置６ａ，６ｂ…を個別にアクセスして監視データを読み込む。操作者が所望の空調機器７ａ，７ｂ…をオン／オフさせるために対応する操作設定器５を操作すると、操作設定器５は空調機器７ａ，７ｂ…をオン／オフさせる操作指令信号を発生する。上述のように通信処理装置３ａは操作設定器５及び空調制御装置６ａ，６ｂ…を所定の順番でポーリングしており、操作指令信号を発生した操作設定器５をアクセスした時点で、この操作設定器５から操作指令信号を監視データとして読み込み、読み込んだ操作指令信号に基づいて所望の空調機器７ａ，７ｂ…をオン／オフさせるための制御データを作成し、対応する空調制御装置６ａ，６ｂ…に制御データを送信する。
【０００４】
空調制御装置６ａ，６ｂ…は通信処理装置３ａから制御データが入力されると、その制御データに基づいて空調機器７ａ，７ｂ…を起動又は停止させる。通信処理装置３ａは対応する空調制御装置６ａ，６ｂ…に制御データを送信した後、所定の順番で操作設定器５及び空調制御装置６ａ，６ｂ…のポーリングを再開しており、前回制御データを送信した空調制御装置６ａ，６ｂ…を再びアクセスした時点で、この空調制御装置６ａ，６ｂ…から空調機器７ａ，７ｂ…の運転状態を示す監視データを受信し、空調機器７ａ，７ｂ…の運転状態の変化を上位監視装置１へ送信する。
【０００５】
このように通信処理装置３ａは対応する空調制御装置６ａ，６ｂ…に制御データを送信した後、所定の順番でポーリングを再開しているので、操作者が操作設定器５を操作した時点から、通信処理装置３ａがその操作設定器５をアクセスして操作指令信号を監視データとして読み込み、この監視データに基づいて作成した制御データを対応する空調制御装置６ａ，６ｂ…に送信した後、制御データを受信した空調制御装置６ａ，６ｂ…が空調機器７ａ，７ｂ…をオン／オフさせて、その運転状態の変化を検出し、さらに通信処理装置３ａがこの空調制御装置６ａ，６ｂ…をポーリングして、空調機器７ａ，７ｂ…の運転状態の変化を監視データとして読み込み、この監視データを上位監視装置１に送信するまでの間に、最大でポーリング周期の２周期分の時間がかかっていた。
【０００６】
また、上位監視装置１が所望の空調機器７ａ，７ｂ…をオン／オフさせる上位指令信号を対応する通信処理装置３ａ，３ｂ，３ｃ…に送信すると、各通信処理装置３ａ，３ｂ，３ｃ…では、上位指令信号を受信した時点で、上位指令信号に基づいて作成した制御データを対応する空調制御装置６ａ，６ｂ…に送信するが、その後は所定の順番で操作設定器５や空調制御装置６ａ，６ｂ…をポーリングするため、制御データを受信した空調制御装置６ａ，６ｂ…が空調機器７ａ，７ｂ…をオン／オフさせて、その運転状態の変化を検出した後、通信処理装置３ａがこの空調制御装置６ａ，６ｂ…をポーリングして、空調機器７ａ，７ｂ…の運転状態の変化を監視データとして読み込み上位監視装置１に送信するまでの間に、最大でポーリング周期の１周期分の時間がかかっていた。そのため、上位監視装置１により空調機器７ａ，７ｂ…のオン／オフ操作や運転状態の確認を行う担当者は、上位監視装置１により空調機器７ａ，７ｂ…の起動／停止操作を行ってからその操作結果を確認するまでの間に長い時間を要し、作業効率が低下するという問題があった。
【０００７】
ここで、上位監視装置１や操作設定器５から各通信処理装置３ａ，３ｂ，３ｃ…に上位指令信号や操作指令信号が送信されると、各空調機器７ａ，７ｂの運転状態は後から送信された指令信号によって決定されるため、上位監視装置１からの指令信号を優先させたい場合は、各通信処理装置３ａ，３ｂ，３ｃ…から操作設定器５の操作を無効とする操作禁止指令を操作設定器５に送信させて、操作設定器５の操作を無効とするような処理を行う必要があった。
【０００８】
しかしながら、上位監視装置１において、空調機器７ａ，７ｂ…が停止中であることを確認した後、停止状態を維持させるために対応する通信処理装置３ａ，３ｂ，３ｃ…から操作禁止指令を送信させて、操作設定器５による空調機器７ａ，７ｂ…のオン／オフ操作を禁止させたとしても、上述のように操作者が操作設定器５を用いてオン／オフ操作を行った時点から、各通信処理装置３ａ，３ｂ，３ｃ…で対応する空調機器７ａ，７ｂ…の運転状態の変化を読み込むまでの間に最大でポーリング周期の２周期分の時間がかかるため、操作禁止指令の送信後に、操作禁止指令が送信される以前の操作設定器５の操作によって空調機器７ａ，７ｂ…が停止状態から起動状態に変化してしまい、通信処理装置３ａ，３ｂ，３ｃ…が空調機器７ａ，７ｂ…の最新の運転状態を空調制御装置６ａ，６ｂ…から読み出して、上位監視装置１に送信すると、操作設定器５の操作禁止指令を送信した時点で上位監視装置１が確認している空調機器７ａ，７ｂ…の運転状態と実際の運転状態との間に食い違いが発生する虞があり、その場合は上位監視装置１から空調機器７ａ，７ｂ…を停止させる上位指令信号を送り直すという処理を行う必要があるため、上位監視装置１から各通信処理装置３ａ，３ｂ，３ｃ…に指令データを１回送信するだけでは操作が完了せず、処理が煩雑になるという問題があった。
【０００９】
また、火災等の緊急時には空調機器７ａ，７ｂ…を強制的に停止させる必要があるが、空調機器７ａ，７ｂ…を強制的に停止させる場合には、まず各通信処理装置３ａ，３ｂ，３ｃ…から操作設定器５へ操作禁止指令を送信させて、操作設定器５によるオン／オフ操作を禁止した後、運転中の空調機器７ａ，７ｂ…を停止させる上位指令信号を対応する通信処理装置３ａ，３ｂ，３ｃ…に送信するという二重の処理を行っていた。また、この場合でも上述と同様に操作設定器５へ操作禁止指令を送信した時点では、空調機器７ａ，７ｂ…が停止状態にあるという監視データが上位監視装置１に送信されていたとしても、実際には操作禁止指令を送信する以前の操作設定器５の操作によって通信処理装置３ａ，３ｂ，３ｃ…から空調制御装置６ａ，６ｂ…へ空調機器７ａ，７ｂ…を起動させるという制御データが既に送信されており、空調機器７ａ，７ｂ…が運転状態にあるにもかかわらず、この空調制御装置６ａ，６ｂにポーリングの順番が回ってきていないために、空調機器７ａ，７ｂ…が運転状態にあるという監視データが上位監視装置１に送信されていないという状態が発生する虞があり、その場合は上位監視装置１から各通信処理装置３ａ，３ｂ，３ｃ…へ空調機器７ａ，７ｂ…を停止させるという上位指令信号を送信するという処理を行わねばならず、処理が煩雑になるという問題があった。
【００１０】
本発明は上記問題点に鑑みて為されたものであり、その目的とするところは、空調機器の運転状態の変化をいち早く上位監視装置へ伝達すると共に、操作設定器による起動／停止操作と上位監視装置による起動／停止操作との優先順位にしたがって空調機器を起動／停止させることのできる空調制御システムおよびその通信処理方法を提供することにある。
【００１１】
【課題を解決するための手段】
上記目的を達成するために、請求項１の発明では、空調機器の動作を制御する複数の空調制御端末と、操作者からのオン／オフ操作に応じて操作指令信号を発生する複数の操作設定端末と、複数の空調制御端末および複数の操作設定端末が第１の通信線を介してそれぞれ接続され、各端末を個別にアクセスする順番を規定した通常ポーリング配列にしたがって各端末を順番にアクセスしてデータを送受信する１乃至複数の通信処理装置と、複数の通信処理装置が第２の通信線を介して接続され、各通信処理装置に接続された空調制御端末の動作を監視、制御する上位監視装置とで構成される空調制御システムにおいて、上位監視装置から各通信処理装置を介して空調制御端末に送信される上位指令信号に、空調機器を強制的にオン／オフさせる上位オン指令、上位オフ指令と、操作設定端末からの操作指令信号に応じて動作させる操作設定端末参照指令とを設け、上位指令信号が操作設定端末参照指令の場合のみ操作設定端末からの操作指令信号を有効とし、通信処理装置は、上位監視装置からの上位指令信号や操作設定端末からの操作指令信号を読み込むと、上位指令信号や操作指令信号を対応する空調制御端末に送信するとともに、当該空調制御端末を通常ポーリング配列から除外し、上位指令信号に応じて動作中の空調制御端末をポーリングする順番を設定する上位指令処理配列又は操作指令信号に応じて動作中の空調制御端末をポーリングする順番を設定する操作指令処理配列のいずれかに登録し、通常ポーリング配列にしたがって各端末を１台アクセスする毎に、上位指令処理配列および操作指令処理配列に登録された空調制御端末を１台づつアクセスする機能を通信処理装置に設けたことを特徴とし、通信処理装置では上位監視装置や操作設定端末から指令信号を受信すると、対応する空調制御端末に指令信号を送信し、指令信号を送信した空調制御端末を通常ポーリング配列から除外すると共に、上位指令処理配列或いは操作指令処理配列に登録して、通常ポーリング配列に登録されている端末を１台アクセスする毎に、上位指令処理配列或いは操作指令処理配列に登録された空調制御端末を交互に１台づつアクセスしているので、各空調を所定の通常ポーリング配列にしたがって順にアクセスする場合に比べて、指令信号を送信した空調制御端末が制御する空調機器の運転状態の変化をいち早く検出することができる空調制御システムを実現できる。しかも、上位指令信号として空調機器を強制的にオン／オフさせる上位オン指令、上位オフ指令を設けており、上位指令信号が操作設定端末参照指令の場合のみ操作設定端末からの操作指令信号を有効としているので、空調機器の運転状態を現状のままとして、操作設定端末による起動／停止操作を禁止したい場合にも、操作設定端末による起動／停止操作を無効にする操作無効指令を空調制御端末に送信する必要はなく、したがって操作無効指令を送信した後に、操作無効指令送信前の操作設定端末による起動／停止操作によって空調機器の運転状態が変化し、操作者の意図と違った運転状態となるのを防止でき、改めて上位監視装置から空調機器を起動又は停止させる上位指令信号を送信する必要がなく、上位監視装置の通信処理の負担を低減できる。
【００１２】
請求項２の発明では、請求項１の発明において、通信処理装置は上位監視装置から火災の発生を示す火災発生信号を受け取ると、上記通信処理を中断して対応する空調制御端末に火災発生を示す火災指令を送信し、空調制御端末は通信処理装置から上記火災指令を受け取ると、上位監視装置や操作設定端末からの指令信号を保留して空調機器を強制的に停止させ、通信処理装置は当該空調制御端末が対応する空調機器を停止させたのを確認すると上記通信処理を再び実行することを特徴とし、火災発生時には通信処理装置が通信処理を中断して空調制御端末に火災指令を送信し、空調制御端末では火災指令に応じて空調機器を強制的に停止させ、上位監視装置や操作設定端末からの指令信号を保留しているので、上位監視装置から操作設定端末の操作を禁止する信号を出力する必要がなく、しかも通信処理装置は火災信号を送信した空調制御端末が対応する空調機器を停止させたのを確認すると上記通信処理を再び実行しているので、火災指令により空調機器が停止したことをいち早く検出することができ、空調制御端末は火災指令が入力されなくなると保留している指令信号を実行するから、火災状態解除後もそれまでの指令信号と矛盾することなく通常時の処理に復旧させることができる空調制御システムを実現できる。
【００１３】
請求項３の発明では、空調機器の動作を制御する複数の空調制御端末と、操作者からのオン／オフ操作に応じて操作指令信号を発生する複数の操作設定端末と、複数の空調制御端末および複数の操作設定端末が第１の通信線を介してそれぞれ接続され、各端末を個別にアクセスする順番を規定した通常ポーリング配列にしたがって各端末を順番にアクセスしてデータを送受信する１乃至複数の通信処理装置と、複数の通信処理装置が第２の通信線を介して接続され、各通信処理装置に接続された空調制御端末の動作を監視、制御する上位監視装置とで構成される空調制御システムの通信処理方式であって、上位監視装置から各通信処理装置を介して空調制御端末に送信される上位指令信号に、空調機器を強制的にオン／オフさせる上位オン指令、上位オフ指令と、操作設定端末からの操作指令信号に応じて動作させる操作設定端末参照指令とを設け、上位指令信号が操作設定端末参照指令の場合のみ操作設定端末からの操作指令信号を有効とし、通信処理装置は、上位監視装置からの上位指令信号や操作設定端末からの操作指令信号を読み込むと、上位指令信号や操作指令信号を対応する空調制御端末に送信するとともに、当該空調制御端末を通常ポーリング配列から除外し、上位指令信号に応じて動作中の空調制御端末をポーリングする順番を設定する上位指令処理配列又は操作指令信号に応じて動作中の空調制御端末をポーリングする順番を設定する操作指令処理配列のいずれかに登録し、通信処理装置は通常ポーリング配列にしたがって各端末を１台アクセスする毎に、上位指令処理配列および操作指令処理配列に登録された空調制御端末を１台づつアクセスすることを特徴とし、通信処理装置では上位監視装置や操作設定端末から指令信号を受信すると、対応する空調制御端末に指令信号を送信し、指令信号を送信した空調制御端末を通常ポーリング配列から除外すると共に、上位指令処理配列或いは操作指令処理配列に登録して、通常ポーリング配列に登録されている端末を１台アクセスする毎に、上位指令処理配列或いは操作指令処理配列に登録された空調制御端末を交互に１台づつアクセスしているので、各空調を所定の通常ポーリング配列にしたがって順にアクセスする場合に比べて、指令信号を送信した空調制御端末が制御する空調機器の運転状態の変化をいち早く検出することができる。しかも、上位指令信号として空調機器を強制的にオン／オフさせる上位オン指令、上位オフ指令を設けており、上位指令信号が操作設定端末参照指令の場合のみ操作設定端末からの操作指令信号を有効としているので、空調機器の運転状態を現状のままとして、操作設定端末による起動／停止操作を禁止したい場合にも、操作設定端末による起動／停止操作を無効にする操作無効指令を空調制御端末に送信する必要はなく、したがって操作無効指令を送信した後に、操作無効指令送信前の操作設定端末による起動／停止操作によって空調機器の運転状態が変化し、操作者の意図と違った運転状態となるのを防止でき、改めて上位監視装置から空調機器を起動又は停止させる上位指令信号を送信する必要がなく、上位監視装置の通信処理の負担を低減できる。
【００１４】
請求項４の発明では、請求項３の発明において、通信処理装置は上位監視装置から火災の発生を示す火災発生信号を受け取ると、上記通信処理を中断して対応する空調制御端末に火災発生を示す火災指令を送信し、空調制御端末は通信処理装置から上記火災指令を受け取ると、上位監視装置や操作設定端末からの指令信号を保留して空調機器を強制的に停止させ、通信処理装置は当該空調制御端末が対応する空調機器を停止させたのを確認すると上記通信処理を再び実行することを特徴とし、火災発生時には通信処理装置が通信処理を中断して空調制御端末に火災指令を送信し、空調制御端末では火災指令に応じて空調機器を強制的に停止させ、上位監視装置や操作設定端末からの指令信号を保留しているので、上位監視装置から操作設定端末の操作を禁止する信号を出力する必要がなく、しかも通信処理装置は火災信号を送信した空調制御端末が対応する空調機器を停止させたのを確認すると上記通信処理を再び実行しているので、火災指令により空調機器が停止したことをいち早く検出することができ、空調制御端末は火災指令が入力されなくなると保留している指令信号を実行するから、火災状態解除後もそれまでの指令信号と矛盾することなく通常時の処理に復旧させることができる。
【００１５】
【発明の実施の形態】
本発明の実施の形態を図面を参照して説明する。
【００１６】
（実施形態１）
図１は本実施形態の空調制御システムの概略構成図である。上位監視装置１には通信回線（第２の通信線）２を介して通信処理装置３が接続され、通信処理装置３には通信回線（第１の通信線）４を介して操作設定器（操作設定端末）５および空調制御装置（空調制御端末）６が接続されている。通常、上位監視装置１には通信回線２を介して複数台の通信処理装置３が接続され、通信処理装置３には通信回線４を介して複数台の操作設定器５及び空調制御装置６が接続されるが、図１では省略して通信処理装置３、操作設定器５及び空調制御装置６を１台づつ図示してある。
【００１７】
上位監視装置１は、操作者のオン／オフ操作に応じて所望の空調機器をオン／オフさせる操作信号を発生する入出力処理部１１と、入出力処理部１１の発生した操作信号を判定、処理して上位指令信号を作成し、この上位指令信号を送受信データメモリ１２に転送する演算処理部１３と、送受信データメモリ１２に格納された上位指令信号を通信回線２を介して通信処理装置３に送信するとともに、通信処理装置３から通信回線２を介して空調機器の運転状態や故障状態などを示す監視データを受信して送受信データメモリ１２に格納する通信処理部１４と、送受信データメモリ１２に格納された空調機器の運転状態や故障状態などを示す監視データを演算処理部１３が判定・処理した結果を表示する表示部１５とを備えている。
【００１８】
通信処理装置３は、通信回線２を介して上位監視装置１との間でデータの送受信を行う通信処理部３１と、通信処理部３１の送受信するデータが格納される送受信データメモリ３２と、通信回線４を介して操作設定器５および空調制御装置６との間でデータの送受信を行う通信処理部３３と、通信処理部３３の送受信するデータが格納される送受信データメモリ３４と、通信処理部３３に通信回線４を介して接続された複数台の端末（すなわち操作設定器５および空調制御装置６）の種別（操作設定器５か空調制御装置６かの区別を示すデータ）やアドレス（通信局番）、操作設定器５と空調制御装置６との対応関係などのデータが予め登録された通信用データテーブル３５と、演算処理部３６とを備えている。
【００１９】
操作設定器５は、操作者のオン／オフ操作に応じた操作信号を発生する入出力処理部５１と、入出力処理部５１が発生した操作信号を判定、処理して操作指令信号を作成する演算処理部５２と、演算処理部５２の作成した操作指令信号などのデータを格納する送受信データメモリ５３と、通信処理装置３からアクセスされた際に送受信データメモリ５３に格納された操作指令信号を通信回線４を介して通信処理装置３に返送するとともに、通信処理装置３から対応する空調機器の運転状態等を示すデータを受信して送受信データメモリ５３に格納する通信処理部５４と、送受信データメモリ５３に格納された対応する空調機器の運転状態等を示すデータを演算処理部５２が判定、処理した結果を表示する表示部５５とで構成される。
【００２０】
空調制御装置６は、通信処理装置３から通信回線４を介して送信された制御データを受信する通信処理部６１と、通信処理部６１が受信した上位監視装置１や操作設定器５からの指令信号や対応する空調機器の現在の運転状態を示すデータを格納する送受信データメモリ６２と、空調機器をオン／オフさせるオン／オフ信号（ＯＮパルス、ＯＦＦパルス）を空調機器動力盤７に出力するとともに空調機器の運転状態や故障状態を示す信号（ＯＮ入力、故障入力）が空調機器動力盤７から入力される入出力処理部６３と、送受信データメモリ６２に格納された上位監視装置１や操作設定器５からの制御データを処理、判定して、入出力処理部６３から空調機器動力盤７に起動信号或いは停止信号を出力させる演算処理部６４とを備えており、通信処理装置３から送信される制御データに応じて空調機器動力盤７の動作を制御し、空調機器を起動または停止させている。
【００２１】
通信処理部３３は通信回線４を介して操作設定器５および空調制御装置６との間で所謂１：Ｎポーリング方式により通信処理を行い、操作設定器５および空調制御装置６を個別にアクセスして監視データや制御データを授受する。通信処理部３３は空調制御装置６から空調機器の動作状態や故障状態を示す監視データを受信すると、受信した監視データを判定、処理して送信データを作成し、作成した送信データを送受信データメモリ３２に格納する。そして通信処理部３１は送受信データメモリ３２に格納された送信データを通信回線２を介して上位監視装置１に送信する。また通信処理部３３が操作設定器５からオン／オフ操作を示す操作指令信号を受信して、この操作指令信号を送受信データメモリ３４に格納すると、演算処理部３６は送受信データメモリ３４に格納された操作指令信号から通信用データテーブル３５に設定されたデータに基づいて制御データを作成し、作成した制御データを通信処理部３３から対応する空調制御装置６に送信させるとともに、当該空調制御装置６が制御する空調機器の運転状態等を示すデータを通信処理部３３から操作設定器５に送信させている。また、通信処理部３１が上位監視装置１から所望の空調機器を起動／停止させる上位指令信号などのデータを受信すると、通信処理部３１は受信したデータを送受信データメモリ３２に格納する。演算処理部３６は、送受信データメモリ３２に格納されたデータを通信用データテーブル３５に設定されたデータに基づいて判定、処理して制御データを作成し、作成した制御データを送受信データメモリ３４に格納する。そして、通信処理部３３が、送受信データメモリ３４に格納された制御データを対応する空調制御装置６に送信する。
【００２２】
ここで、空調制御装置６の送受信データメモリ６２のメモリ領域は、上位監視装置１或いは操作設定器５からの指令信号を格納する指令格納エリアと、対応する空調機器の運転状態を示すデータを格納する運転状態格納エリアとに大きく分かれており、さらに指令格納エリア及び運転状態格納エリアは、それぞれ、上位監視装置用と操作設定器用とに分かれている。而して、通信処理装置３が上位監視装置１から空調機器を起動／停止させる上位指令信号を受信し、この上位指令信号を対応する空調制御装置６に送信する場合、通信処理部６１は通信処理装置３から受信した上位指令信号を上位監視装置用の指令格納エリア６２ａに格納する。また、通信処理装置３が操作設定器５から操作指令信号を読み出し、この操作指令信号を対応する空調制御装置６に送信する場合、通信処理部６１は通信処理装置３から受信した操作指令信号を操作設定器用の指令格納エリア６２ｃに格納する。また、演算処理部６４は入出力処理部６３から入力された空調機器の運転状態や故障状態を示す信号を処理し、通信処理装置３を介して上位監視装置１に送信する場合は上位監視装置用の運転状態格納エリア６２ｂに格納し、通信処理装置３を介して操作設定器５に送信する場合は操作設定器用の運転状態格納エリア６２ｄに格納する。
【００２３】
ところで、上位監視装置１が発生する起動／停止指令には、操作設定器５による操作指令信号と関係なく空調機器を強制的に起動／停止させる“上位オン指令”、“上位オフ指令”、及び、操作設定器５の操作指令信号に応じて空調機器を起動又は停止させる“操作設定器参照指令”の３種類がある。また、上位監視装置用の運転状態格納エリア６２ｂに格納される空調機器の運転状態を示すデータにも、上述と同様に、上位オン指令にしたがって起動している状態を示す“上位オン状態”、上位オフ指令にしたがって停止している状態を示す“上位オフ状態”、操作設定器５の操作指令信号に応じて空調機器を起動又は停止させる“操作設定器参照状態”の３種類がある。一方、操作設定器５が発生する操作指令信号には“オフ指令”と、それぞれ異なる風量で空調機器を起動させる“第１オン指令”、“第２オン指令”、“第３オン指令”および“第４オン指令”の５種類がある。また、操作設定器用の運転状態格納エリア６２ｄに格納される空調機器の運転状態を示すデータにも、上述と同様に、オフ指令にしたがって停止している状態を示す“オフ状態”、第１〜第４オン指令に応じた風量で運転している状態を示す第１〜第４オン状態の５種類のデータがある。なお、第１〜第４オン指令は、例えばファンコイルユニットのように送風機の風量が複数段階に切り換えられる空調機器に対応するためのもので、風量を切り換える機能のない空調機器では、第１〜第４オン指令を単なるオン指令と同様に扱えば良い。
【００２４】
以下に空調制御装置６の動作を図７のフローチャートを参照して説明する。まず、空調制御装置６の演算処理部６４は、送受信データメモリ６２の上位監視装置用の指令格納エリア６２ａをチェックし、通信処理装置３を介して上位監視装置１から送信された上位指令信号の有無を判定し（ステップＳ１）、上位指令信号があればその内容を判断する（ステップＳ２）。
【００２５】
ここで、上位指令信号が上位オン指令の場合、演算処理部６４は空調機器動力盤７から入出力処理部６３に入力されるＯＮ入力に基づいて空調機器が停止中か否かを判断し（ステップＳ３）、運転中であればステップＳ７に移行し、停止中であれば入出力処理部６３から空調機器動力盤７に起動信号を出力させ（ステップＳ４）、空調機器の運転状態と上位指令信号の内容とが一致したか否かを判断する（ステップＳ１４）。そして、空調機器が起動し、その運転状態と上位指令信号の内容が一致すると、上位監視装置用の運転状態格納エリア６２ｂに空調機器の運転状態を示すデータを格納する（ステップＳ１５）。なお、ステップＳ１４において運転状態と上位指令信号の内容が一致していなければ、ステップＳ１に戻り上述の処理を繰り返す。
【００２６】
また、ステップＳ２において上位指令信号が上位オフ指令の場合、演算処理部６４は空調機器動力盤７から入出力処理部６３に入力されるＯＮ入力に基づいて空調機器が運転中か否かを判断し（ステップＳ５）、停止中であればステップＳ７に移行し、運転中であれば入出力処理部６３から空調機器動力盤７に停止信号を出力させ（ステップＳ６）、空調機器の運転状態と上位指令信号の内容とが一致したか否かを判断する（ステップＳ１４）。そして、空調機器が停止し、その運転状態と上位指令信号の内容が一致すると、上位監視装置用の運転状態格納エリア６２ｂに空調機器の運転状態を示すデータを格納する（ステップＳ１５）。なお、ステップＳ１４において運転状態と上位指令信号の内容が一致していなければ、ステップＳ１に戻り上述の処理を繰り返す。このように上位指令信号が上位オン指令或いは上位オフ指令の場合、空調制御装置６は操作設定器５からのオン指令、オフ指令に関係無く、空調機器を強制的に起動又は停止させている。
【００２７】
一方、ステップＳ２において上位指令信号が操作設定器参照指令の場合、演算処理部６４は操作設定器用の指令格納エリア６２ｃをチェックし、通信処理装置３を介して操作設定器５から送信された操作指令信号の有無を判定し（ステップＳ８）、操作指令信号があればその内容を判断する（ステップＳ９）。ここで、操作指令信号がオン指令の場合、演算処理部６４は空調機器動力盤７から入出力処理部６３に入力されるＯＮ入力に基づいて空調機器が停止中か否かを判断し（ステップＳ１０）、運転中であればステップＳ１４に移行し、停止中であれば入出力処理部６３から空調機器動力盤７に起動信号を出力させた後（ステップＳ１１）、ステップＳ１４に移行し上述と同様の処理を実行する。また、ステップＳ９において操作指令信号がオフ指令の場合、演算処理部６４は空調機器動力盤７から入出力処理部６３に入力されるＯＮ入力に基づいて空調機器が停止中か否かを判断し（ステップＳ１２）、停止中であればステップＳ１４に移行し、運転中であれば入出力処理部６３から空調機器動力盤７に起動信号を出力させた後（ステップＳ１３）、ステップＳ１４に移行し上述と同様の処理を実行する。
【００２８】
また、ステップＳ１において上位指令信号がない場合、演算処理部６４は送受信データメモリ６２の上位監視装置用の運転状態格納エリア６２ｂをチェックし（ステップＳ７）、運転状態格納エリア６２ｂ内のデータが上位オフ状態又は上位オン状態であればステップＳ１４に移行して上述の処理を実行し、操作設定器参照状態であれば、ステップＳ８に移行して上述の処理を実行する。
【００２９】
ところで、通信処理装置２の通信用データテーブル３５には、通信回線４を介して接続された個々の端末（操作設定器５および空調制御装置６）の種別（すなわち操作設定器５か空調制御装置６かの区別）とその通信局番（例えば１，２，３，４…Ｎ）とが予め登録されており、図２に示すように通信局番の若いものから順番に配列（以下、この配列を通常ポーリング配列という）Ａを作り、通常はこの通常ポーリング配設Ａにしたがって通信処理装置３が操作設定器５および空調制御装置６をポーリングする。なお、通信処理装置３は操作設定器５および空調制御装置６を上述の通常ポーリング配列Ａにしたがって１台ポーリングする毎に、上位監視装置１との間でデータを送受信しており、直前にポーリングした端末（操作設定器５或いは空調制御装置６）から読み込んだ各種のデータを上位監視装置１に送信するとともに、上位監視装置１から通信処理装置３へデータが送信されると、通信処理装置３は受信したデータを対応する操作設定器５或いは空調制御装置６に出力する。
【００３０】
ここで、上位監視装置１から例えば通信局番が３番の空調制御装置６を起動／停止させる上位オン指令或いは上位オフ指令が通信処理装置３に送信され、通信処理装置３が上位オフ指令或いは上位オン指令を通信局番が３番の空調制御装置６に送信した場合、図３に示すように、通信局番が３番の空調制御装置６を通常ポーリング配列Ａから除外するとともに、上位指令信号に応じて動作中の空調制御装置６をポーリングする順番を規定する上位指令処理配列Ｂに通信局番が３番の空調制御装置６を登録し、通信処理装置３は通常ポーリング配列Ａに登録された操作設定器５及び空調制御装置６と、上位指令処理配列Ｂに登録された空調制御装置６とを交互にポーリングする。なお、上位指令処理配列Ｂにおける順番は、上位監視装置１から上位指令信号を受け取った順番とする。
【００３１】
通信局番が３番の空調制御装置６では、上述のように通信処理装置３から受信した上位オフ指令或いは上位オン指令にしたがって空調機器動力盤７にオフ信号或いはオン信号を出力しており、演算処理部６４は空調機器動力盤７から入出力処理部６３に入力された空調機器の運転状態を示すデータを処理して、空調機器の運転状態が上位指令信号の内容に一致すると、上位監視装置用の運転状態格納領域６２ｂに空調機器の運転状態を書き込む。そして、通信処理装置３がこの空調制御装置６をポーリングし、上位監視装置用の運転状態格納領域６２ｂに格納された空調機器の運転状態を読み込み、空調機器の運転状態が上位指令信号の内容に一致したと判断すると、通信局番が３番の空調制御装置６を上位指令処理配列Ｂから通常ポーリング配列Ａに戻し、通常ポーリング配列Ａにしたがって操作設定器５および空調制御装置６をポーリングする。この時同時に通信処理装置３は対応する操作設定器５および上位監視装置１に空調機器の動作状態を示すデータを送信する。
【００３２】
また、上位監視装置１から通信処理装置３に操作設定器参照指令が送信された場合、通信処理装置３は上位監視装置１から入力された操作設定器参照指令を対応する空調制御装置６に送信する。この時、通信処理装置３は操作設定器参照指令を送信した空調制御装置６の通信局番を通常ポーリング配列Ａから除外するとともに、この空調制御装置６の通信局番を上位指令処理配列Ｂに登録し、通常ポーリング配列Ａに登録された操作設定器５及び空調制御装置６と、上位指令処理配列Ｂに登録された空調制御装置６とを交互にポーリングする。
【００３３】
通信処理装置３から操作設定器参照指令が送信された空調制御装置６では、通信処理部６１が受信した操作設定器参照指令を送受信データメモリ３２の上位監視装置用指令格納エリア６２ａに格納する。演算処理部６４は指令格納エリア６２ａに格納された操作設定器参照指令を処理して、対応する操作設定器５からの操作指令信号に応じて空調機器動力盤７を制御する操作指令参照状態に動作モードを切り換え、上位監視装置用の運転状態格納エリア６２ｂに操作設定器参照状態を示すデータを格納する。通信処理装置３は通常ポーリング配列Ａに登録された操作設定器５及び空調制御装置６と、上位指令処理配列Ｂに登録された空調制御装置６とを交互にポーリングしており、操作設定器参照指令を送信した空調制御装置６をポーリングして、運転状態格納エリア６２ｂに格納されたデータを読み込む。そして、運転状態格納エリア６２ｂに格納されたデータが操作設定器参照状態となった時点で、この空調制御装置６の通信局番を上位指令処理配列Ｂから除外して、通常ポーリング順列Ａに復帰させる。また、通信処理装置３はこの空調制御装置６が操作設定器参照状態となったことを示すデータを対応する操作設定器５および上位監視装置１に送信する。なお、この時点では空調制御装置６の動作状態を操作設定器参照状態に切り換えているだけで、空調制御装置６から空調機器動力盤７へオン／オフ信号は出力されないので、空調機器の実際の運転状態は変化しない。
【００３４】
操作設定器５は通信処理装置３から対応する空調制御装置６の上位監視装置用運転状態格納エリア６２ｂに格納されたデータを受信しており、そのデータが上位オフ状態或いは上位オン状態である場合には、操作者が入出力処理部５１により起動或いは停止などの設定操作を行ったとしても、演算処理部５２は入出力処理部５１による設定操作を無視するとともに、表示部５５に入出力処理部５１による設定操作が無効であることを表示する。一方、上位監視装置用の運転状態格納エリア６２ｂに格納されたデータが設定器参照状態になると、操作者が入出力処理部５１により起動或いは停止などの設定操作を行った時点で、演算処理部５３が入出力処理部５１による設定操作の内容を送受信データメモリ５２に格納し、通信処理装置３からのポーリングによって通信処理装置３に読み出されるのを待つ。
【００３５】
ここで、通信処理装置３が操作設定器５をアクセスして、送受信データメモリ５３に格納された入出力操作部５１による設定操作の内容を読み込んだ際に、送受信データメモリ５２に有効な設定操作の内容が格納されており、なお且つ、対応する通信局番が例えば３番の空調制御装置６が上位監視装置１から送信された上位指令信号の処理中でなければ（すなわち、通信局番が３番の空調制御装置６が上位指令処理配列Ｂに登録されていなければ）、送受信データメモリ５２に格納された設定操作の内容を対応する空調制御装置６に送信する。この時、通信処理装置３は、図４に示すように、この空調制御装置６の通信局番を通常ポーリング配列Ａから除外し、操作指令信号に応じて動作中の空調制御装置６をポーリングする順番を規定する操作指令処理配列Ｃに登録して、通常ポーリング配列Ａに登録された操作設定器５及び空調制御装置６と、操作指令処理配列Ｃに登録された空調制御装置６とを交互にポーリングする。そして、空調制御装置６が操作設定器５の操作指令信号に応じて空調機器動力盤７を制御し、空調機器の運転状態と操作指令信号の内容とが一致すると、通信処理装置３は通信局番が３番の空調制御装置６を操作指令処理配列Ｃから除外し、通常ポーリング配列Ａに戻してポーリングを行う。この時同時に、通信処理装置３は対応する操作設定器５および上位監視装置１に空調機器の運転状態を示すデータを送信する。
【００３６】
また、通信局番が３番の空調制御装置６が対応する操作設定器５からの操作指令信号に応じて動作中に、上述と同様にして通信処理装置３が、通信局番が２番の空調制御装置６に対応する操作設定器５から操作指令信号を読み込むと、通信処理装置３は操作設定器５から読み込んだ操作指令信号を通信局番が２番の空調制御装置６に送信するとともに、その通信局番を通常ポーリング配列Ａから除外して、操作指令処理配列Ｃに登録し（図５参照）、通常ポーリング配列Ａに登録された操作設定器５及び空調制御装置６と、操作指令処理配列Ｃに登録された空調制御装置６とを交互にポーリングする。なお、操作指令処理配列Ｃにおける順番は、通信処理装置３が操作設定器５からの操作指令を受け取った順番とする。
【００３７】
ここで、図６に示すように、上位指令処理配列Ｂに通信局番が３番の空調制御装置６が登録され、操作指令処理配列Ｃに通信局番が２番の空調制御装置６が登録されている場合、通信処理装置３は、通常ポーリング配列Ａに登録されている通信局番が４番の端末（操作設定器５或いは空調制御装置６）をアクセスした後、上位指令処理配列Ｂに登録された通信局番が３番の空調制御装置６をアクセスし、さらに通常ポーリング配列Ａに登録された通信局番が５番の端末局をアクセスする。そして、操作指令処理配列Ｃに登録された通信局番が２番の空調制御装置２をアクセスした後、通常ポーリング配列Ａに登録された通信局番が６番の端末（操作設定器５或いは空調制御装置６）をアクセスする。このように、通常ポーリング配列Ａに登録された端末局を１台アクセスする毎に、指令処理配列Ｂに登録された空調制御装置６、又は、操作指令処理配列Ｃに登録された空調制御装置６を１台づつ交互にアクセスしているので、通信処理装置３は空調制御装置６の運転状態の変化をいち早く検出して、上位監視装置１に送信することができる。
【００３８】
なお、空調制御装置６は操作設定器５からの操作指令信号に応じて動作中に、通信処理装置３を介して上位監視装置１からの上位指令信号を受け取ると、操作設定器５からの操作指令信号よりも上位監視装置１からの上位指令信号を優先して動作する。この時、通信処理装置３は、この空調制御装置６の通信局番を操作指令処理配列Ｃから除外して上位指令処理配列Ｂに登録し、通常ポーリング配列Ａに登録された操作設定器５或いは空調制御装置６を１台ポーリングする毎に、上位指令処理配列Ｂに登録された空調制御装置６を交互にアクセスする。そして、上位監視装置１からの上位指令信号の内容と空調機器の運転状態が一致すると、通信処理装置３はこの空調制御装置６の通信局番を通常ポーリング配列Ａに戻し、操作設定器５による操作指令信号を無効にする。なお、空調制御装置６は操作設定器５からの指令信号よりも上位監視装置１からの上位指令信号を優先させているので、上位指令信号によって動作中に操作指令信号を受け、操作指令信号により動作することはない。
【００３９】
上述のように、通信処理装置３は上位監視装置１から上位指令信号を受け取るか、又は、操作設定器５から操作指令信号を受け取ると、上位指令信号又は操作指令信号を対応する空調制御装置６に送信するとともに、この空調制御装置６の通信局番を通常ポーリング配列から除外して、上位監視装置１からの上位指令信号に応じて動作中の空調制御装置６をポーリングする順番を設定する上位指令処理配列Ｂ、或いは、操作設定器５からの操作指令信号に応じて動作中の空調制御装置６をポーリングする順番を設定する操作指令処理配列Ｃに登録し、通信処理装置３は通常ポーリング配列Ｃにしたがって空調制御装置６あるいは操作設定器５を１台アクセスする毎に、上位指令処理配列Ｂあるいは操作指令処理配列Ｃに登録された空調制御機器６を１台づつ交互にアクセスして通信処理を行っているので、上位指令信号又は操作指令信号による空調機器の運転状態の変化を、通常ポーリング配列の順番に関係なくいち早く検出して、上位監視装置１に送信することができる。
【００４０】
また、この空調制御システムでは、上位監視装置１が通信処理装置を介して空調制御装置６に操作設定器参照指令を送信した期間のみ、操作設定器５による起動／停止操作を有効にしているので、空調機器の運転状態を現状のままとして、操作設定器５による起動／停止操作を禁止したい場合にも、操作設定器５による起動／停止操作を無効にする操作無効指令を空調制御装置６に送信する必要はない。したがって操作無効指令を送信した後に、操作無効指令送信前の操作設定器５による起動／停止操作によって空調機器の運転状態が変化し、操作者の意図と違った運転状態となるのを防止でき、改めて上位監視装置１からの空調機器を起動又は停止させる上位指令信号を送信する必要がなく、上位監視装置１の通信処理の負担を低減できる。
【００４１】
（実施形態２）
実施形態１の空調制御システムでは、通信処理装置３が上位監視装置１からの強制オン指令、強制オフ指令を操作設定器５からの操作指令信号よりも優先して取り扱っているので、操作設定器５に対して操作設定器５の操作を禁止する操作禁止指令を送信することなく、上位監視装置１からの上位オン指令又は上位オフ指令を優先させて空調制御装置３の動作を制御することができる。また、通信処理装置３は上位監視装置１からの上位指令信号や操作設定器５からの操作指令信号を対応する空調制御装置６に送信すると、この空調制御装置６を通常ポーリング配列Ａとは別の上位指令処理配列Ｂ或いは操作指令処理配列Ｃに登録して、上位指令信号や操作指令信号の内容が実現されるまでの間、通常ポーリング配列Ａに登録された端末（操作設定器５及び空調制御装置６）を１台アクセスする毎に、上位指令処理配列Ｂ或いは操作指令処理配列Ｃに登録された空調制御装置６を交互に１台づつアクセスしているので、空調機器の運転状態の変化をいち早く検出し、その運転状態を上位監視装置１に送信することができる。
【００４２】
ところで、一般的にビル内に配設される空調制御システムでは上位監視装置１によりビル内の火災発生を検出しており、火災発生時には上位監視装置１から各通信処理装置へ火災が発生したことを示す火災発生信号を送出し、各通信処理装置３により運転中の空調機器を停止させる必要があるが、各通信処理装置３において上位監視装置１から送信された火災発生信号を上位指令信号として取り扱うと、火災発生信号が送信された時点で上位監視装置１に送信されている各空調機器の運転状態だけではなく、上位監視装置１からの上位指令信号や操作設定器５からの操作指令信号に応じて空調制御装置６が空調機器を起動させている途中か否かの判定を行う必要がある。
【００４３】
また、予め設定されたスケジュールで空調機器を起動させる制御データを空調制御装置６に送信しておき、通常は空調制御装置６が所定のスケジュールにしたがって空調機器を起動／停止させている場合に、上位監視装置１からの上位指令信号と、所定のスケジュールによる起動／停止動作とは後指令を優先するよう設定されていると、火災発生時に上位監視装置１から通信処理装置３を介して各空調制御装置６に空調機器を停止させる停止指令を送信したとしても、その直後に空調制御装置６がスケジュールによって動作し、空調機器を起動させる虞があった。
【００４４】
そこで本実施形態では、空調制御装置６の送受信データメモリ６２に、上位監視装置１や操作設定器５からの指令信号を格納する上位監視装置用の指令格納エリア６２ａ、操作設定器用の指令格納エリア６２ｃとは別に火災の発生を示す火災指令を格納する火災信号格納エリア（図示せず）を設けている。そして、火災発生時に通信処理装置３から空調制御装置６へ火災指令が送信されると、通信処理部６１が通信処理装置３からの火災指令を受信して送受信データメモリ６２の火災信号格納エリアに格納し、この火災指令に基づいて演算処理部６４は上位監視装置１や操作設定器５からの指令信号に関わらず対応する空調機器を停止させている。なお、送受信データメモリ６２以外の構成は実施形態１と同様であるので、同一の構成要素についての図示および説明は省略する。
【００４５】
また、火災中に空調機器を停止させる間、演算処理部６４は送受信データメモリ６２の上位監視装置用の運転状態格納エリア６２ｂに上位オフ状態を示すデータを出力するとともに、操作設定器用の運転状態格納エリア６２ｄにオフ状態を示すデータを出力する。そして、火災状態格納エリア内に格納されるデータが火災発生中から火災解除となるまでの間、上位監視装置１からの上位指令信号や操作設定器５からの操作指令信号や空調制御装置６に設定されたスケジュールによる起動又は停止の実行を保留する。保留中に上位監視装置１、操作設定器５或いは空調制御装置６に設定されたスケジュールにより、新たな指令が入力されると保留中の指令内容を新規の指令内容に更新する。なお、上位監視装置１からの上位指令信号と、空調制御装置６に設定されたスケジュール動作による起動／停止指令とは後指令の方を優先する。
【００４６】
その後、火災状態格納エリア内に格納された火災状態を示すデータが火災発生から火災解除に変化すると、空調制御装置６では保留中の最新指令の内、上位監視装置１からの上位指令信号、或いは、スケジュール動作による起動／停止指令を優先して実行し、もし最新指令が上位監視装置１からの操作設定器参照指令であったならば、操作設定器５による起動／停止指令を実行する。
【００４７】
ところで、通信処理装置３では、上位監視装置１が火災発生を検知するビル内のエリア（以下、火災検知エリアという）毎に、上位監視装置１から火災状態を示すデータを格納する火災情報格納領域を送受信データメモリ３２に設けており、通信用データテーブル３５には火災検知エリアに対応する空調制御装置６の通信局番が予め登録されている。そして、通信処理装置３が上位監視装置１から火災発生中を示す火災発生信号を受信すると、通信処理装置３は現在行っている通信処理を一旦中断し、火災発生中の火災検知エリアに対応する空調制御装置６に火災発生を示す火災指令を送信して、火災指令を送信した空調制御装置６に対しその通信局番の順にポーリングを行う。一方、火災指令を受信した空調制御装置６では受信した火災指令を火災信号格納エリアに格納する。
【００４８】
ここで、空調制御装置６の動作を図８のフローチャートを参照して簡単に説明する。空調制御装置６では、演算処理部６４が送受信データメモリ６２の火災信号格納エリアをチェックし、火災信号格納エリアに格納されたデータから火災中か否かを判断する（ステップＳ２１）。火災中であれば、演算処理部６４は空調機器動力盤７から入出力処理部６３に入力されるＯＮ入力に基づいて空調機器が運転中か否かを判断し（ステップＳ３７）、停止中であればステップＳ３９に移行し、運転中であれば入出力処理部６３から空調機器動力盤７に停止信号を出力させ（ステップＳ３８）、上位指令信号や操作指令信号やスケジュールによる起動／停止指令を保留する（ステップＳ３９）。その後、演算処理部６４は空調機器動力盤７から入出力処理部６３に入力されるＯＮ入力に基づいて空調機器が停止したと判断すると、上位監視装置用の運転状態格納エリア６２ｂに上位オフ状態を示すデータを格納する。上述のように通信処理装置３は火災指令を送信した空調制御装置６をポーリングしており、上位監視装置用の運転状態格納エリア６２ｂからデータを読み込み、そのデータが上位オフ状態になると、上位監視装置１にその運転状態を送信して、この空調制御装置６をポーリングの対象から除外する。そして火災発生中の火災検知エリアに対応する全ての空調制御装置６の運転状態が上位オフ状態になると、通信処理装置３は一旦中断していた火災発生前の通信処理を再開する。但し、火災発生中となった火災検知エリアが火災解除状態に切り替わった場合は、対応する空調制御装置６を強制的にオフ状態とする処理が完了していなくても、その時点で対応する空調制御装置６のポーリングを終了し、当該火災検知エリアに対応する空調制御装置６に火災解除状態を示すデータを送信する。なお、ステップＳ２１において火災中ではないと判断した場合の空調制御装置６の動作（ステップＳ２２〜Ｓ３６）は、実施形態１で説明した空調制御装置６の動作（ステップＳ１〜Ｓ１５）と同様であるので、その説明は省略する。
【００４９】
このように、火災発生時には通信処理装置３から対応する空調制御装置６へ火災発生を示す火災指令を送信し、火災発生中は空調制御装置６が空調機器を強制的に停止させているので、火災発生時には上位監視装置１により停止中であると認識されるため、停止指令が送信されなかった空調制御装置６が実際には起動処理中であり、その後運転状態になって上位監視装置１に運転状態を示すデータが送信され、上位監視装置１が通信処理装置３を介して空調制御装置６へオフ信号を送信しなければならなくなるという状態を防止することができる。また、空調制御装置６は通信処理装置３から火災指令を受け取ると、上位監視装置１からの上位オン指令を保留しているので、火災発生中の火災検知エリアに対応した空調制御装置６へ上位監視装置１が誤って上位オン指令を送出したとしても、この空調制御装置６は上位オン指令を保留し、実際に運転されることはない。さらに、操作設定器５による操作信号は無効となるので、対応する操作設定器５へ操作禁止指令を送信する必要はなく、空調制御装置６に設定されたスケジュール動作による起動指令も保留されるので、空調制御装置６にスケジュール動作を禁止する禁止指令を送信する必要もない。しかも火災解除時には保留中の指令が実行されるので、火災解除時に上位監視装置１側でスケジュール動作の内容を判断し、本来空調機器が運転している時刻であれば通信処理装置３を介して空調制御装置６へ空調機器を起動させる信号を送信する必要がなく、上位監視装置１の処理を減らすことができる。
【００５０】
また、上位監視装置１から送信される火災状態の変化によって、火災発生時の処理を最優先で実行するため、火災発生時に空調機器が停止したか否かの確認をいち早く行うことができ、したがって火災情報が誤報であった場合にも対応する空調機器の復旧作業を迅速且つ容易に行うことができる。
【００５１】
【発明の効果】
上述のように請求項１の発明は、空調機器の動作を制御する複数の空調制御端末と、操作者からのオン／オフ操作に応じて操作指令信号を発生する複数の操作設定端末と、複数の空調制御端末および複数の操作設定端末が第１の通信線を介してそれぞれ接続され、各端末を個別にアクセスする順番を規定した通常ポーリング配列にしたがって各端末を順番にアクセスしてデータを送受信する１乃至複数の通信処理装置と、複数の通信処理装置が第２の通信線を介して接続され、各通信処理装置に接続された空調制御端末の動作を監視、制御する上位監視装置とで構成される空調制御システムにおいて、上位監視装置から各通信処理装置を介して空調制御端末に送信される上位指令信号に、空調機器を強制的にオン／オフさせる上位オン指令、上位オフ指令と、操作設定端末からの操作指令信号に応じて動作させる操作設定端末参照指令とを設け、上位指令信号が操作設定端末参照指令の場合のみ操作設定端末からの操作指令信号を有効とし、通信処理装置は、上位監視装置からの上位指令信号や操作設定端末からの操作指令信号を読み込むと、上位指令信号や操作指令信号を対応する空調制御端末に送信するとともに、当該空調制御端末を通常ポーリング配列から除外し、上位指令信号に応じて動作中の空調制御端末をポーリングする順番を設定する上位指令処理配列又は操作指令信号に応じて動作中の空調制御端末をポーリングする順番を設定する操作指令処理配列のいずれかに登録し、通常ポーリング配列にしたがって各端末を１台アクセスする毎に、上位指令処理配列および操作指令処理配列に登録された空調制御端末を１台づつアクセスする機能を通信処理装置に設けたことを特徴とし、通信処理装置では上位監視装置や操作設定端末から指令信号を受信すると、対応する空調制御端末に指令信号を送信し、指令信号を送信した空調制御端末を通常ポーリング配列から除外すると共に、上位指令処理配列或いは操作指令処理配列に登録して、通常ポーリング配列に登録されている端末を１台アクセスする毎に、上位指令処理配列或いは操作指令処理配列に登録された空調制御端末を交互に１台づつアクセスしているので、各空調を所定の通常ポーリング配列にしたがって順にアクセスする場合に比べて、指令信号を送信した空調制御端末が制御する空調機器の運転状態の変化をいち早く検出することができる空調制御システムを実現できるという効果がある。しかも、上位指令信号として空調機器を強制的にオン／オフさせる上位オン指令、上位オフ指令を設けており、上位指令信号が操作設定端末参照指令の場合のみ操作設定端末からの操作指令信号を有効としているので、空調機器の運転状態を現状のままとして、操作設定端末による起動／停止操作を禁止したい場合にも、操作設定端末による起動／停止操作を無効にする操作無効指令を空調制御端末に送信する必要はなく、したがって操作無効指令を送信した後に、操作無効指令送信前の操作設定端末による起動／停止操作によって空調機器の運転状態が変化し、操作者の意図と違った運転状態となるのを防止でき、改めて上位監視装置から空調機器を起動又は停止させる上位指令信号を送信する必要がなく、上位監視装置の通信処理の負担を低減できるという効果がある。
【００５２】
請求項２の発明は、請求項１の発明において、通信処理装置は上位監視装置から火災の発生を示す火災発生信号を受け取ると、上記通信処理を中断して対応する空調制御端末に火災発生を示す火災指令を送信し、空調制御端末は通信処理装置から上記火災指令を受け取ると、上位監視装置や操作設定端末からの指令信号を保留して空調機器を強制的に停止させ、通信処理装置は当該空調制御端末が対応する空調機器を停止させたのを確認すると上記通信処理を再び実行することを特徴とし、火災発生時には通信処理装置が通信処理を中断して空調制御端末に火災指令を送信し、空調制御端末では火災指令に応じて空調機器を強制的に停止させ、上位監視装置や操作設定端末からの指令信号を保留しているので、上位監視装置から操作設定端末の操作を禁止する信号を出力する必要がなく、しかも通信処理装置は火災信号を送信した空調制御端末が対応する空調機器を停止させたのを確認すると上記通信処理を再び実行しているので、火災指令により空調機器が停止したことをいち早く検出することができ、空調制御端末は火災指令が入力されなくなると保留している指令信号を実行するから、火災状態解除後もそれまでの指令信号と矛盾することなく通常時の処理に復旧させることができる空調制御システムを実現できるという効果がある。
【００５３】
請求項３の発明は、空調機器の動作を制御する複数の空調制御端末と、操作者からのオン／オフ操作に応じて操作指令信号を発生する複数の操作設定端末と、複数の空調制御端末および複数の操作設定端末が第１の通信線を介してそれぞれ接続され、各端末を個別にアクセスする順番を規定した通常ポーリング配列にしたがって各端末を順番にアクセスしてデータを送受信する１乃至複数の通信処理装置と、複数の通信処理装置が第２の通信線を介して接続され、各通信処理装置に接続された空調制御端末の動作を監視、制御する上位監視装置とで構成される空調制御システムの通信処理方式であって、上位監視装置から各通信処理装置を介して空調制御端末に送信される上位指令信号に、空調機器を強制的にオン／オフさせる上位オン指令、上位オフ指令と、操作設定端末からの操作指令信号に応じて動作させる操作設定端末参照指令とを設け、上位指令信号が操作設定端末参照指令の場合のみ操作設定端末からの操作指令信号を有効とし、通信処理装置は、上位監視装置からの上位指令信号や操作設定端末からの操作指令信号を読み込むと、上位指令信号や操作指令信号を対応する空調制御端末に送信するとともに、当該空調制御端末を通常ポーリング配列から除外し、上位指令信号に応じて動作中の空調制御端末をポーリングする順番を設定する上位指令処理配列又は操作指令信号に応じて動作中の空調制御端末をポーリングする順番を設定する操作指令処理配列のいずれかに登録し、通信処理装置は通常ポーリング配列にしたがって各端末を１台アクセスする毎に、上位指令処理配列および操作指令処理配列に登録された空調制御端末を１台づつアクセスすることを特徴とし、通信処理装置では上位監視装置や操作設定端末から指令信号を受信すると、対応する空調制御端末に指令信号を送信し、指令信号を送信した空調制御端末を通常ポーリング配列から除外すると共に、上位指令処理配列或いは操作指令処理配列に登録して、通常ポーリング配列に登録されている端末を１台アクセスする毎に、上位指令処理配列或いは操作指令処理配列に登録された空調制御端末を交互に１台づつアクセスしているので、各空調を所定の通常ポーリング配列にしたがって順にアクセスする場合に比べて、指令信号を送信した空調制御端末が制御する空調機器の運転状態の変化をいち早く検出できるという効果がある。しかも、上位指令信号として空調機器を強制的にオン／オフさせる上位オン指令、上位オフ指令を設けており、上位指令信号が操作設定端末参照指令の場合のみ操作設定端末からの操作指令信号を有効としているので、空調機器の運転状態を現状のままとして、操作設定端末による起動／停止操作を禁止したい場合にも、操作設定端末による起動／停止操作を無効にする操作無効指令を空調制御端末に送信する必要はなく、したがって操作無効指令を送信した後に、操作無効指令送信前の操作設定端末による起動／停止操作によって空調機器の運転状態が変化し、操作者の意図と違った運転状態となるのを防止でき、改めて上位監視装置から空調機器を起動又は停止させる上位指令信号を送信する必要がなく、上位監視装置の通信処理の負担を低減できるという効果がある。
【００５４】
請求項４の発明は、請求項３の発明において、通信処理装置は上位監視装置から火災の発生を示す火災発生信号を受け取ると、上記通信処理を中断して対応する空調制御端末に火災発生を示す火災指令を送信し、空調制御端末は通信処理装置から上記火災指令を受け取ると、上位監視装置や操作設定端末からの指令信号を保留して空調機器を強制的に停止させ、通信処理装置は当該空調制御端末が対応する空調機器を停止させたのを確認すると上記通信処理を再び実行することを特徴とし、火災発生時には通信処理装置が通信処理を中断して空調制御端末に火災指令を送信し、空調制御端末では火災指令に応じて空調機器を強制的に停止させ、上位監視装置や操作設定端末からの指令信号を保留しているので、上位監視装置から操作設定端末の操作を禁止する信号を出力する必要がなく、しかも通信処理装置は火災信号を送信した空調制御端末が対応する空調機器を停止させたのを確認すると上記通信処理を再び実行しているので、火災指令により空調機器が停止したことをいち早く検出することができ、空調制御端末は火災指令が入力されなくなると保留している指令信号を実行するから、火災状態解除後もそれまでの指令信号と矛盾することなく通常時の処理に復旧させることができるという効果がある。
【図面の簡単な説明】
【図１】実施形態１の空調制御システムの概略構成図である。
【図２】同上の空調制御システムの動作を説明する説明図である。
【図３】同上の空調制御システムの別の動作を説明する説明図である。
【図４】同上の空調制御システムのまた別の動作を説明する説明図である。
【図５】同上の空調制御システムのさらに別の動作を説明する説明図である。
【図６】同上の空調制御システムのまたさらに別の動作を説明する説明図である。
【図７】同上の空調制御システムの動作を説明するフローチャートである。
【図８】実施形態２の空調制御システムの動作を説明するフローチャートである。
【図９】従来の空調制御システムの概略構成図である。
【符号の説明】
１  上位監視装置
３  通信処理装置
５  操作設定器
６  空調制御装置
【図１】
0003815103.tif 000002
【図２】
0003815103.tif 000003
【図３】
0003815103.tif 000004
【図４】
0003815103.tif 000005
【図５】
0003815103.tif 000006
【図６】
0003815103.tif 000007
【図７】
0003815103.tif 000008
【図８】
0003815103.tif 000009
【図９】
0003815103.tif 000010